(57)【要約】【課題】  ユーザのよく見る番組を、速やかに選択することが可能である放送受信装置を提供する。【解決手段】  ユーザは、キー入力部１５、もしくはリモコン送信機３００を操作して選局指示を行う。ＣＰＵ８は、チューナ１を制御して選局すると同時に、時計１１を制御して視聴時間のカウントを行い、所定時間経過するたびにＣＰＵ８は視聴履歴を時間帯別に不揮発性メモリ１６に格納する。ユーザがリモコン送信機３００に配置された「よく見るチャンネル」キーを操作すると、ＣＰＵ８は、不揮発性メモリ１６から操作時と同一時間帯の視聴履歴情報を読み出し、その中から最も視聴時間の多いチャンネル番号ＣＲＴ１２に表示し、この表示に従いユーザが視聴意思を示すことによってＣＰＵ８はチューナ１を制御してユーザが希望するチャンネルを選局するようにする。【選択図】      図１
2005109924.tif 000002
【特許請求の範囲】
【請求項１】
受信デジタル放送用テレビジョン信号からチャンネル情報とこのチャンネルに対応した番組情報と時刻情報とにより番組検索を行う放送受信装置であって、
前記番組を選局する選局手段と、
前記選局した番組の時刻情報を検出する時刻情報検出手段と、
前記検出した時刻情報よりユーザの視聴頻度の高い時間帯を特定る特定手段と、
前記選局した番組のチャンネル毎にユーザの嗜好を分析し記憶する分析記憶手段と、
前記分析記憶手段によりユーザが所望の番組を選択するよう誘導する誘導制御手段と、
を有し、
前記特定手段によりユーザの視聴頻度の高い時間帯には前記分析記憶手段の分析の精度を上げ、視聴頻度の低い時間帯には前記精度を下げるようにしたことを特徴とする放送受信装置。
【発明の詳細な説明】
【技術分野】
【０００１】
本発明は、放送受信装置に関し、特に番組の視聴時間帯からユーザの嗜好を分析しユーザが所望の番組を速やかに選択するよう誘導する機能を有する放送受信装置に関する
【背景技術】
【０００２】
ケーブルテレビ、デジタル放送の普及でわが国においても本格的な多チャンネル時代が実用化されている中、ユーザが所望するチャンネルを見い出すことは容易ではない。この対応手段として番組の視聴時間からユーザの嗜好を分析し、その結果を用いてユーザが所望の番組を速やかに選択するよう誘導する機能を放送受信装置に備えることが提案されている（例えば、特許文献１参照。）。以下、この機能を「よく見るチャンネル」機能と呼ぶ。
【０００３】
この機能は、先ずユーザが視聴した放送のチャンネル番号および視聴時間を時間帯別に過去数日間に渡り集計し、この情報を視聴履歴として不揮発性メモリに記憶する。リモコン等に配置された「よく見るチャンネル」キーをユーザが操作することによって、受像機は上記視聴履歴を元にユーザがその時間帯に最もよく観るチャンネルを探し、図２に示すような画面をスクリーン上に表示する。ユーザは画面の誘導に従い選局の意思表示をすることで所望の番組にいち早く到達できるというものである。
【０００４】
【特許文献１】特開平１１−２２０６７５号公報
【発明の開示】
【発明が解決しようとする課題】
【０００５】
ところで、上記特許文献１の「よく見るチャンネル」の機能において、ユーザの嗜好を的確に抽出することが重要となるが、一定の精度を保つためには視聴時間をカウントする時間帯の幅を細かくする必要がある。
【０００６】
時間帯の幅を２時間とする第１の放送受信装置を想定した場合、１時間を超える長い番組の視聴に対してはユーザの最もよく見るチャンネルとして認識されるが、３０分程度の短い番組の視聴に対しては最もよく見るチャンネルとして認識されない可能性が高い。その結果３０分の番組がユーザにとって重要であっても、その時間帯においては高々２番目以下の扱いになってしまい「よく見るチャンネル」画面による上記番組への誘導はできなくなるといった問題があった。
【０００７】
一方、時間帯の幅を３０分とする第２の放送受信装置を想定した場合、上述の問題を回避することができるが、第２の放送受信装置は第１の放送受信装置に比べ時間帯の幅を４分の１にしているため、視聴履歴を格納するために必要な不揮発性メモリの領域は４倍となる。また、１０分番組、５分番組などさらに短い番組に対応する場合は、さらにより多くのメモリ領域が必要となり、不揮発性メモリ容量の制約が厳しい組み込み機器においては重大な問題であった。
【０００８】
本発明は、以上の点に鑑みなされたもので、ユーザの視聴頻度の高い時間帯を特定し、視聴頻度の高い時間帯は、ユーザの嗜好の分析の精度を上げるために視聴時間をカウントする時間帯の幅を細かくし、視聴頻度の低い時間帯は不揮発性メモリ容量を節約するために視聴時間をカウントする時間帯の幅を粗くするよう構成して、ユーザが所望の番組を速やかに選択することが可能である放送受信装置を提供することを目的とする。
【課題を解決するための手段】
【０００９】
本発明は、上記課題を解決するために、以下に記載の手段よりなる。
すなわち、
受信デジタル放送用テレビジョン信号からチャンネル情報とこのチャンネルに対応した番組情報と時刻情報とにより番組検索を行う放送受信装置であって、
前記番組を選局する選局手段と、
前記選局した番組の時刻情報を検出する時刻情報検出手段と、
前記検出した時刻情報よりユーザの視聴頻度の高い時間帯を特定る特定手段と、
前記選局した番組のチャンネル毎にユーザの嗜好を分析し記憶する分析記憶手段と、
前記分析記憶手段によりユーザが所望の番組を選択するよう誘導する誘導制御手段と、
を有し、
前記特定手段によりユーザの視聴頻度の高い時間帯には前記分析記憶手段の分析の精度を上げ、視聴頻度の低い時間帯には前記精度を下げるようにしたことを特徴とする放送受信装置。
【発明の効果】
【００１０】
本発明の「放送受信装置」によれば、ユーザの視聴頻度の高い時間帯を特定し、視聴頻度の高い時間帯は、ユーザの嗜好の分析の精度を上げるために視聴時間をカウントする時間帯の幅を細かくし、視聴時間をカウントする時間帯の幅を粗くするよう構成して、ユーザが所望の番組を速やかに選択することが可能である放送受信装置を提供することができる。
また、視聴頻度の低い時間帯は、視聴時間をカウントする時間帯の幅を粗くするよう構成たので、不揮発性メモリ容量を節約することが可能で、少ないメモリ容量の機器でユーザの嗜好を的確に反映することができる。
【発明を実施するための最良の形態】
【００１１】
以下、本発明に係る放送受信装置の発明を実施するための最良の形態につき、好ましい実施例により説明する。
図1は本実施例に適用される放送受信装置の構成を示す概略ブロック図である。図２は本実施例に適用される放送受信装置の動作を説明するための画面表示の一例を示した図である。図３〜図６は本実施例に適用される放送受信装置の動作を説明するためのフローチャートの一例を示した図である。図７は本実施例に適用される放送受信装置におけるメモリ内部に格納する情報の論理的構成例を示した図である。
【００１２】
図１を用いて、放送受信装置１００の動作を説明する。放送受信装置１００にはアンテナ２００によって受信された放送信号が入力される。アンテナ２００からの信号はチューナ１によって選局・受信され、中間周波（ＩＦ）信号として信号処理部２に供給される。信号処理部２は、ＩＦ信号を検波して映像信号及び音声信号を出力する。映像信号は映像信号出力部３よりＣＲＴ１２に供給され、音声信号は音声信号出力部４よりスピーカ１３に供給される。
回路各部は、バス６によってＣＰＵ８と接続され、ＣＰＵ８によって制御される。チューナ１における選局、グラフィックスコントローラ５による「よく見るチャンネル」画面の表示、電源制御部７による電源制御、時計１１における現在時刻の計時等は、ＣＰＵ８によって制御される。プログラムＲＯＭ９には、選局および視聴時間のカウント等を処理するためのプログラムが格納されている。不揮発性メモリ１６には、視聴履歴情報等も格納される。キー入力部１５、リモコン送信部３００、リモコン受信部１４は、選局および「よく見るチャンネル」画面の操作等を入力するためのものである。
【００１３】
次に、視聴時間のカウントについて説明する。ユーザは、キー入力部１５、もしくはリモコン送信機３００を操作して選局指示を行う。ＣＰＵ８は、チューナ１を制御して選局すると同時に、時計１１を制御して視聴時間のカウントを開始する。1分経過するたびにＣＰＵ８は視聴履歴を時間帯別に不揮発性メモリ１６に格納する。
ユーザがリモコン送信機３００に配置された「よく見るチャンネル」キーを操作すると、ＣＰＵ８は、不揮発性メモリ１６から操作時と同一時間帯の視聴履歴情報を読み出し、その中から最も視聴時間の多いチャンネル番号を図２のようにＣＲＴ１２に表示する。
なお、この表示は複数のチャンネル番号を視聴時間の多い順にリスト表示してもよい。この表示に従いユーザが視聴意思を示すことによってＣＰＵ８はチューナ１を制御してユーザが希望するチャンネルを選局する。
【００１４】
さらに、フローチャートを用いて動作を詳細に説明する。図３において、メイン処理Ｓ１が開始されると、ステップＳ２にてキー入力の有無を検出する。キー入力がなければ、ステップＳ３にて視聴時間カウント処理、およびステップＳ５にて視聴履歴の再構成処理を実行する。「よく見るチャンネル」キーが入力されるとステップＳ６に移り、「よく見るチャンネル」処理を実行する。
なお、これらのキー入力は、キー入力部１５によって行ってもよいし、リモコン送信機３００によって行ってもよい。
【００１５】
図４は、ステップＳ３における視聴時間カウント処理の流れを示している。同図において、ステップＳ３１にて1分経過したか否かをチェックする。１分経過している場合はステップＳ３２に進み、経過していない場合はステップＳ３４に進む。ステップＳ３２ではユーザが現在視聴中か否かをチェックする。電源オンの場合は、視聴しているとみなしステップＳ３３に進み、電源スタンバイの場合は視聴していないとみなしステップＳ３４に進む。ステップＳ３３では視聴時間のカウントアップを行い不揮発性メモリ１６内の視聴履歴情報領域に格納する。
【００１６】
図７に、視聴履歴情報領域の構成例を示す。視聴履歴７０２，７０３，７０４，７０５，７０６は時間帯ごとの視聴時間を管理する領域で、各領域はさらにチャンネルごとの視聴時間を格納するようになっている。視聴履歴７０１は時間帯ごとの視聴時間を格納する場所を示したリストで、３０分単位の時間帯ごとに領域の指定をするような構造になっている。領域の指定には２つの形態をとることができ、第1の形態はユーザの視聴頻度の低い時間帯の場合で視聴履歴７０２のように２時間分の視聴時間をひとつの領域に格納する。
第２の形態はユーザの視聴頻度の高い時間帯の場合で視聴履歴７０３〜７０６のように視聴時間を３０分単位で別の領域に格納する。ステップＳ３４では、1日経過したか否かをチェックする。1日経過している場合はステップＳ３５に進み、経過していない場合はステップＳ３６にて終了する。ステップＳ３５では全時間帯の視聴時間を半分にする。これにより視聴しなくなったチャンネルの視聴時間は時間の経過とともに消滅する。
【００１７】
図５に、ステップＳ４における「よく見るチャンネル」処理の流れを示す。同図においてステップＳ４１にて現在時刻を取得し、ステップＳ５２にて不揮発性メモリ１６から現在時刻の属する時間帯の視聴履歴情報を読み出し、その中で視聴時間の最も多いチャンネルを検索する。ステップＳ４３にてステップＳ４２で検索したチャンネル番号を図２の「よく見るチャンネル」画面に表示する。ステップＳ４４にてキー入力の有無を検出する。カーソル左／右キーが入力されたらステップＳ４５でカーソルを移動する。決定キーが入力されたらステップＳ４６でカーソル位置を判定し、カーソル位置が「はい」の項目にある場合はステップＳ４７にてステップＳ４２で検索したチャンネルを選局しステップＳ４８にて終了する。カーソル位置が「いいえ」の項目にある場合はステップＳ４８にて終了する。
【００１８】
図６に、ステップＳ５における視聴履歴の再構成処理の流れを示す。ステップＳ５１では、1日経過したか否かをチェックする。1日経過している場合はステップＳ５２に進み、経過していない場合はステップＳ５３にて終了する。ステップＳ５２では２時間単位で視聴時間の和を求める。ステップＳ５４にて上記視聴時間の和を評価する。所定の閾値以上であれば、その時間帯は視聴頻度の高い時間帯と判断しステップＳ５５に進み、閾値未満であればその時間帯は視聴頻度の低い時間帯と判断しステップＳ５６に進む。ステップＳ５５では視聴履歴情報の管理を３０分単位、即ち視聴履歴７０３〜７０６の形態にする。ステップＳ５６では視聴履歴情報の管理を２時間単位、即ち視聴履歴７０２の形態にする。ステップＳ５７にて全ての時間帯について処理を行ったかチェックする。行っていない場合はステップＳ５２に戻る。行っている場合はステップＳ５８にて終了する。
以上のようにしてユーザの視聴頻度の高い時間帯を特定し、ユーザーの視聴頻度が高い時間帯には、ユーザの視聴嗜好の分析の精度を上げ、視聴頻度が低い時間帯にはユーザの視聴嗜好の分析の精度を下げることができる。
【００１９】
なお、本実施例では視聴時間を抽出する時間帯の幅として視聴頻度の低い時間帯では２時間としたが必ずしも２時間である必要はなく、視聴頻度の高い時間帯では３０分としたが必ずしも３０分である必要はない。他の組み合わせの時間設定であってももちろんよく、放送受信装置が学習によって設定する構成、あるいはユーザが設定可能な構成としてもよい。
【図面の簡単な説明】
【００２０】
【図１】本実施例に適用される放送受信装置の構成を示す概略ブロック図である。
【図２】本実施例に適用される放送受信装置の動作を説明するための画面表示の一例を示した図である。
【図３】本実施例に適用される放送受信装置の動作を説明するためのフローチャートの一例を示した図である。
【図４】本実施例に適用される放送受信装置の動作を説明するためのフローチャートの一例を示した図である。
【図５】本実施例に適用される放送受信装置の動作を説明するためのフローチャートの一例を示した図である。
【図６】本実施例に適用される放送受信装置の動作を説明するためのフローチャートの一例を示した図である。
【図７】本実施例に適用される放送受信装置におけるメモリ内部に格納する情報の論理的構成例を示した図である。
【符号の説明】
【００２１】
１…チューナ
２…信号処理部
３…映像信号出力部
５…グラフィックスコントローラ
６…バス
８…ＣＰＵ
９…プログラムＲＯＭ
１１…時計
１２…ＣＲＴ
１３…スピーカ
１４…リモコン受信部
１５…キー入力部
１６…不揮発性メモリ
１００…放送受信装置
２００…アンテナ
３００…リモコン送信部
７０１，７０２，７０３，７０４，７０５，７０６…視聴履歴
【図１】
2005109924.tif 000003
【図２】
2005109924.tif 000004
【図３】
2005109924.tif 000005
【図４】
2005109924.tif 000006
【図５】
2005109924.tif 000007
【図６】
2005109924.tif 000008
【図７】
2005109924.tif 000009